(57)【要約】【課題】  簡易な構成よりなることで、製造原価の低減や軽減化を可能とした容器保持装置を提供する。【解決手段】  搭載部材に対して埋没した位置及び該埋没位置から搭載部材より突出した位置の両位置に上下移動可能なるベース部材１１と、搭載部材に埋没した位置でベース部材１１に沿い且つ搭載部材より突出した位置で搭載部材の上面に載置可能なると共に容器の底部を保持可能なる底部支持部材１２と、搭載部材に埋没した位置でベース部材１１に沿い且つ搭載部材より突出した位置で底部支持部材１２の上方に離間した位置に保持可能なると共に容器の側部を保持可能なる側部支持部材１３とより構成されてなる。【選択図】        図３
2005059685.tif 000002
【特許請求の範囲】
【請求項１】
搭載部材に対して埋没した位置及び該埋没位置から搭載部材より突出した位置の両位置に上下移動可能なるベース部材と、前記搭載部材に埋没した位置で前記ベース部材に沿い且つ前記搭載部材より突出した位置で前記搭載部材の上面に載置可能なると共に容器の底部を保持可能なる底部支持部材と、前記搭載部材に埋没した位置で前記ベース部材に沿い且つ前記搭載部材より突出した位置で前記底部支持部材の上方に離間した位置に保持可能なると共に容器の側部を保持可能なる側部支持部材とより構成されてなることを特徴とする容器保持装置。
【請求項２】
請求項１に記載の容器保持装置であって、前記ベース部材は、前記搭載部材に固定された固定部材に囲繞され且つ該固定部材により上下方向に摺動自在に支持されてなり、該固定部材の上端部には蓋体が開閉自在に軸支されてなり、前記ベース部材の下端部に突設されたストッパは、前記固定部材に形成されてなる上下長孔を摺動可能なると共に常時上方へ付勢支持されてなることを特徴とする容器保持装置。
【請求項３】
請求項１又は請求項２に記載の容器保持装置であって、前記底部支持部材は、前記ベース部材に対して前記搭載部材の上面に載置する方向に常時付勢支持してなることを特徴とする容器保持装置。
【請求項４】
請求項１乃至請求項３の何れか１項に記載の容器保持装置であって、前記側部支持部材は、略垂直方向から略水平方向に常時付勢支持してなることを特徴とする容器保持装置。
【発明の詳細な説明】
【技術分野】
【０００１】
この発明は、容器保持装置に関するものである。
【背景技術】
【０００２】
自動車、電車などの乗り物や家屋、劇場などの屋内家具に採用されている容器保持装置としては、例えば、シート本体のサイドカバーに設けられたベース部材と、ベース部材に対してヒンジ機構により上下に回転自在に支持された受け皿部材とを備えている（例えば、特許文献１。）。
【特許文献１】特開２００３−５４３０３号公報
【発明の開示】
【発明が解決しようとする課題】
【０００３】
しかしながら、このような従来の技術にあっては、ヒンジ機構が複雑且つ多部品より構成されてなり、製造原価の高騰、重量増加などの問題点を有する。
【０００４】
この発明は、このような従来の技術の問題点に着目してなされたものであり、簡易な構成よりなることで、製造原価の低減や軽減化を可能とした容器保持装置を提供するものである。
【課題を解決するための手段】
【０００５】
かかる従来技術を解決するために、請求項１に記載の発明は、搭載部材に対して埋没した位置及び該埋没位置から搭載部材より突出した位置の両位置に上下移動可能なるベース部材と、前記搭載部材に埋没した位置で前記ベース部材に沿い且つ前記搭載部材より突出した位置で前記搭載部材の上面に載置可能なると共に容器の底部を保持可能なる底部支持部材と、前記搭載部材に埋没した位置で前記ベース部材に沿い且つ前記搭載部材より突出した位置で前記底部支持部材の上方に離間した位置に保持可能なると共に容器の側部を保持可能なる側部支持部材とより構成されてなることを特徴とする。
【０００６】
請求項２に記載の発明は、請求項１に記載の容器保持装置であって、前記ベース部材は、前記搭載部材に固定された固定部材に囲繞され且つ該固定部材により上下方向に摺動自在に支持されてなり、該固定部材の上端部には蓋体が開閉自在に軸支されてなり、前記ベース部材の下端部に突設されたストッパは、前記固定部材に形成されてなる上下長孔を摺動可能なると共に常時上方へ付勢支持されてなることを特徴とする。
【０００７】
請求項３に記載の発明は、請求項１又は請求項２に記載の容器保持装置であって、前記底部支持部材は、前記ベース部材に対して前記搭載部材の上面に載置する方向に常時付勢支持してなることを特徴とする。
【０００８】
請求項４に記載の発明は、請求項１乃至請求項３の何れか１項に記載の容器保持装置であって、前記側部支持部材は、略垂直方向から略水平方向に常時付勢支持してなることを特徴とする。
【発明の効果】
【０００９】
請求項１に記載の発明によれば、搭載部材に対して出没自在なベース部材と、該ベース部材に軸支された底部支持部材及び側部支持部材により構成されてなる容器保持装置であるので、構成が簡易となることで、製造原価の低減や軽減化を可能とした。
【００１０】
請求項２に記載の発明によれば、前記ベース部材は、固定部材により上下方向に摺動自在に支持されてなるので、ベース部材が没した状態では、底部支持部材及び側部支持部材も固定部材に収納されて、引っ掛けたりする恐れがない。ベース部材が突出した状態では、底部支持部材及び側部支持部材も露出し、容器を支持できる使用状態になる。前記固定部材の上端部には、蓋体が開閉自在に軸支されてなるので、上側からゴミなどが落ちても固定部材内に入り込むことがない。前記ベース部材の下端部に突設されたストッパは、前記固定部材に形成されてなる上下長孔を摺動可能であるので、ベース部材の露出量が定まり、不用意な突出量とならない。また、ベース部材は、常時上方へ付勢支持されてなるので、蓋体を開成させることで、容易にベース部材は持ち上がる方向にスライドできる。
【００１１】
請求項３に記載の発明によれば、底部支持部材は、前記ベース部材に対して前記搭載部材の上面に載置する方向に常時付勢支持してなるので、底部支持部材に加わる容器による荷重を底部支持部材のみで受けるヒンジ機構でなくて良い分、ヒンジ機構が簡易なものとなり、安価になる。
【００１２】
請求項４に記載の発明によれば、側部支持部材は、略垂直方向から略水平方向に常時付勢支持してなるので、ベース部材が持ち上がることにより、側部支持部材が略水平状態に移動し、容器を収納しやすいことになる。
【発明を実施するための最良の形態】
【００１３】
簡易な構成よりなることで、製造原価の低減や軽減化を可能とした容器保持装置を提供するという目的を、出没自在なベース部材と、ベース部材に沿う位置及び略水平になる位置に移動可能に軸支され且つ前記搭載部材の上面に載置可能な底部支持部材と、ベース部材に沿う位置及び略水平になる位置に移動可能に軸支され且つ容器の側部を保持可能なる側部支持部材とより構成されてなることにより実現した。
【実施例１】
【００１４】
図１乃至図５は、この発明の容器保持装置を示した図面である。符号１は、容器保持装置で、シートクッション２とシートバック３とよりなる座席４のシートバック２の格納部５に出没自在の「搭載部材」であるアームレスト６に配設されてなる。
【００１５】
前記容器保持装置１は、固定部材１０と、ベース部材１１と、底部支持部材１２と、側部支持部材１３とより構成されてなる。
【００１６】
前記固定部材１０は、アームレスト６の内部にビス７により立設した状態で固設されてなり、前記ベース部材１１を前後ＦＲ，ＲＲ方向から囲繞してなると共にベース部材１１を上下ＵＰ，ＬＷＯ方向に摺動自在に支持されてなり、該固定部材１０の上端部１０ａには蓋体１４が開閉自在に軸支されてなる。図３は、蓋体１４が、開成した状態を示す。蓋体１４の係合爪１４ａは、固定部材１０の上端部１０ａの形成された凹部１０ｃに係合することで、閉成された状態が保持される。
【００１７】
前記ベース部材１１は、前記アームレスト６に対して埋没した位置、すなわち固定部材１０内に収納された位置及び該埋没位置からアームレスト６より突出した位置すなわち固定部材１０の上端部１０ａより突出した位置(図３参照)の両位置に上下移動可能である。該ベース部材１１の下端部１１ａの前後ＦＲ，ＲＲ方向に突設されたピン状のストッパ１５、１５は、前記固定部材１０に形成されてなる上下長孔１６を摺動可能なるように係合されてなると共に固定部材１０の固定部１０ｂとストッパ１５、１５との間に懸架されたコイル状スプリング１７により常時上方ＵＰへ付勢支持されてなる。
【００１８】
前記底部支持部材１２は、前記アームレスト６に埋没した位置で図２に二点鎖線で示すように前記ベース部材１１に沿い且つ前記アームレスト６より突出した位置で図２に実線で示すように前記アームレスト６の上面６ａに載置可能なるように前後ＦＲ，ＲＲ方向に突設されたピン状の支持軸１２ｂ、１２ｂによりベース部材１１に回転自在に軸支されている。該アームレスト６の上面６ａに載置した状態の底部支持部材１２の上面には、容器８の底部８ａを保持可能なる凹面支持部１２ａが形成されてなる。また、底部支持部材１２は、巻きスプリング１８により前記ベース部材１１に対して前記アームレスト６の上面６ａに載置する方向に常時付勢支持されてなる。
【００１９】
前記側部支持部材１３は、前記アームレスト６に埋没した位置で図２に二点鎖線で示すように前記ベース部材１１に沿い且つ前記アームレスト６より突出した位置で図２に実線で示すように前記底部支持部材１２の上方に離間した位置に保持可能なるように前後ＦＲ，ＲＲ方向に突設されたピン状の支持軸１３ｂ、１３ｂによりベース部材１１に回転自在に軸支されている。また、側部支持部材１３には、容器８の側部８ｂを保持可能なる貫通孔１３ａが形成されている。更に、側部支持部材１３は、巻きスプリング１９により略垂直方向から略水平方向に常時付勢支持されてなる。
【００２０】
次に、かかる容器保持装置１の作用について説明する。
【００２１】
アームレスト６に対して出没自在なベース部材１１と、該ベース部材１１に軸支された底部支持部材１２及び側部支持部材１３により構成されてなる容器保持装置１であるので、構成が簡易となることで、製造原価の低減や軽減化を可能とした。
【００２２】
前記ベース部材１１は、固定部材１０により上下方向に摺動自在に支持されてなるので、ベース部材１１が没した状態では、底部支持部材１２及び側部支持部材１３も固定部材１０に収納されて、引っ掛けたりする恐れがない。ベース部材１１が突出した状態では、底部支持部材１２及び側部支持部材１３も露出し、容器を支持できる使用状態になる。前記固定部材１０の上端部１０ａには、蓋体１４が開閉自在に軸支され、常時は閉成されてなるので、上側からゴミなどが落ちても固定部材１０内に入り込むことがない。前記ベース部材１１の下端部１１ａに突設されたストッパ１５，１５は、前記固定部材１０に形成されてなる上下長孔１６を摺動可能であるので、ベース部材１１の露出量が定まり、不用意な突出量とならない。また、ベース部材１１は、スプリング１７により常時上方ＵＰへ付勢支持されてなるので、蓋体１４を開成させることで、容易にベース部材１１は持ち上がる方向にスライドできる。
【００２３】
底部支持部材１２は、前記ベース部材１１に対して前記アームレスト６に載置する方向に常時付勢支持してなるので、底部支持部材１２に加わる容器８による荷重を底部支持部材１２のみで受けるヒンジ機構でなくて良い分、ヒンジ機構が簡易なものとなり、安価になる。
【００２４】
側部支持部材１３は、略垂直方向から略水平方向に常時付勢支持してなるので、ベース部材１１が持ち上がることにより、側部支持部材１３が略水平状態に移動し、容器８を収納しやすいことになる。
【産業上の利用可能性】
【００２５】
容器保持装置１が装着されるもので有れば、自動車、航空機、船舶、鉄道など、あらゆる乗り物の座席に適用できる。また、家屋内外の椅子、野球場、サッカー場などの椅子、オペラ座などの観劇用椅子に適用できる。
【図面の簡単な説明】
【００２６】
【図１】この発明の一実施例に係る容器保持装置を備えた座席の斜視図。
【図２】図１の正面方向からの要部拡大図。
【図３】図１，図２の容器保持装置のみの斜視図。
【図４】図３の容器保持装置の固定部材からベース部材及び蓋体等を外した分解斜視図。
【図５】図４のベース部材から底部支持部材及び側部支持部材を外した分解斜視図。
【符号の説明】
【００２７】
１  容器保持装置
２  シートクッション
３  シートバック
４  座席
５  シートバックの格納部
６  「搭載部材」であるアームレスト
６ａ  アームレストの上面
８  容器
８ａ  容器の底部
８ｂ  容器の側部
１０  固定部材
１０ａ  固定部材の上端部
１０ｂ  固定部材の固定部
１１  ベース部材
１１ａ  ベース部材の下端部
１２  底部支持部材
１２ａ  凹面支持部
１２ｂ  支持軸
１３  側部支持部材
１３ａ  貫通孔
１４  蓋体
１５  ストッパ
１６  上下長孔
１７  コイル状スプリング
ＦＲ  前側
ＲＲ  後側
ＵＰ  上側
ＬＷＯ  下側
【図１】
2005059685.tif 000003
【図２】
2005059685.tif 000004
【図３】
2005059685.tif 000005
【図４】
2005059685.tif 000006
【図５】
2005059685.tif 000007